【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
通信システムであって、
少なくとも１つのマルチメディアストリームを無線で放送する少なくとも１つの放送局と、
無線放送リンク上でストリームを受信する少なくとも１つの無線受信機とを含み、
受信機が、双方向無線リンク上でマルチメディアストリームに関係する制御データを与えられる通信システム。
【請求項２】
双方向無線リンクが、放送リンクと関係付けられていない請求項１記載のシステム。
【請求項３】
放送リンクが、単方向であり、ＣＤＭＡの原理、ＧＳＭの原理、およびＯＦＤＭの原理の中の少なくとも１つによって特徴付けられる請求項１記載のシステム。
【請求項４】
双方向無線リンクが、ＣＤＭＡリンク、ＧＳＭリンク、802.11リンク、およびブルートゥースリンクを含むグループから選択される請求項１記載のシステム。
【請求項５】
双方向無線リンクが、ポイント ツウ ポイント無線通信リンクである請求項１記載のシステム。
【請求項６】
受信機が、マルチメディアデータを表示する少なくとも１つのディスプレイをもつ移動通信装置である請求項１記載のシステム。
【請求項７】
受信機が、マルチメディアオーディオデータを与える少なくとも１つのスピーカをもつ移動通信装置である請求項１記載のシステム。
【請求項８】
制御データが、マルチメディアストリームを解読するのに役立つ少なくとも１つのキーと、マルチメディア放送サービスへの加入と関係付けられたデータと、マルチメディア放送ネットワーク上の登録と関係付けられたデータと、マルチメディアデータを復号するのに役立つ少なくとも１つのアプリケーションと、請求書発行情報と、ユーザの好みに関係するデータと、マルチメディアストリームを与えることに関係するサービスのレベルに関係するデータとの中の少なくとも１つを含む請求項１記載のシステム。
【請求項９】
サービスが、双方向リンク上で注文される請求項１記載のシステム。
【請求項１０】
製品が、双方向リンク上で注文される請求項１記載のシステム。
【請求項１１】
マルチメディアストリームを、少なくとも暗号化し、符号化し、および／または集約するのに役立つ少なくとも１つのディジタル放送マルチメディア（digital broadcast multimedia, DBM）制御装置をさらに含む請求項１記載のシステム。
【請求項１２】
制御データが、マルチメディアストリームをデインターリービング、逆圧縮、および復号するのに役立つデータを含む請求項１記載のシステム。
【請求項１３】
制御データが、チャネルの選択および追跡のために、マルチメディアストリーム内へ索引を付けるのに役立つデータを含む請求項１記載のシステム。
【請求項１４】
ＤＢＭ制御装置と、少なくともそこからキーを受信するために通信し、双方向無線リンク上で無線受信機と通信する少なくとも１つのネットワーク制御局をさらに含む請求項１１記載のシステム。
【請求項１５】
少なくとも、受信機に、マルチメディアストリームを再生することに関係するアプリケーションを与えるネットワーク制御局と関係付けられた少なくとも１つのＮＣＣ制御装置をさらに含む請求項１４記載のシステム。
【請求項１６】
少なくとも、受信機に、マルチメディアストリームを再生することに関係するアプリケーションを双方向無線リンクを経由して与えるための、放送ネットワークオペレーションセンターと関係付けられた少なくとも１つのネットワークオペレーション制御装置（network operations controller, NOC）をさらに含む請求項１４記載のシステム。
【請求項１７】
マルチメディアストリームを無線通信装置に与える方法であって、
無線放送チャネル上で、マルチメディアストリームを放送することと、
双方向無線リンク上で、装置上にマルチメディアストリームを表示するのに必要な制御データを伝送することとを含む方法。
【請求項１８】
少なくとも幾つかの制御データを無線装置へ伝送する請求項１７記載の方法。
【請求項１９】
少なくとも幾つかの制御データが無線装置から伝送される請求項１７記載の方法。
【請求項２０】
双方向無線リンクが、放送チャネルと関係付けられていない請求項１７記載の方法。
【請求項２１】
放送チャネルが単方向である請求項１７記載の方法。
【請求項２２】
放送リンクが、ＣＤＭＡの原理、ＧＳＭの原理、およびＯＦＤＭの原理の中の少なくとも１つによって特徴付けられる請求項２１記載の方法。
【請求項２３】
双方向無線リンクが、ＣＤＭＡリンク、ＧＳＭリンク、およびＯＦＤＭリンクの中の少なくとも１つである請求項１７記載の方法。
【請求項２４】
双方向無線リンクが、802.11リンク、ブルートゥースリンク、および衛星リンクの中の少なくとも１つであり、ポイント ツウ ポイント無線通信リンクである請求項１７記載の方法。
【請求項２５】
受信機が、マルチメディアストリームを表示するための少なくとも１つのディスプレイと、マルチメディアオーディオデータを与えるための少なくとも１つのスピーカとをもつ移動通信装置である請求項１７記載の方法。
【請求項２６】
制御データが、マルチメディアストリームを解読するのに役立つ少なくとも１つのキーを含む請求項１７記載の方法。
【請求項２７】
制御データが、マルチメディア放送サービスへの加入と関係付けられたデータを含む請求項１７記載の方法。
【請求項２８】
制御データが、マルチメディア放送ネットワーク上の登録と関係付けられたデータ、マルチメディアデータを再生するのに役立つ少なくとも１つのアプリケーション、請求書発行情報、およびユーザの好みに関係するデータの中の少なくとも１つを含む請求項１７記載の方法。
【請求項２９】
制御データが、マルチメディアストリームを与えることに関係するサービスのレベルに関係するデータを含む請求項１７記載の方法。
【請求項３０】
マルチメディアストリームがディジタルであり、暗号化される請求項１７記載の方法。
【請求項３１】
制御データが、マルチメディアストリームのデインターリービング、暗号化、逆圧縮、および復号に役立つデータを含む請求項１７記載の方法。
【請求項３２】
制御データが、チャネルの選択および追跡のために、マルチメディアストリーム内へ索引を付けるのに役立つデータを含む請求項１７記載の方法。
【請求項３３】
双方向リンク上で、サービスおよび製品の少なくとも一方を注文することを含む請求項１７記載の方法。
【請求項３４】
少なくとも２つの通信リンクを使用して、通信することができる無線クライアント局であって、
放送チャネル上で受信したディジタルマルチメディアストリームと、双方向無線リンク上で受信した制御データとを受信する少なくとも１つのプロセッサを含み、
プロセッサが、制御データを使用して、ディスプレイ上にマルチメディアストリームを提示することができる無線クライアント局。
【請求項３５】
双方向無線リンクが、放送チャネルと関係付けられていない請求項３４記載のクライアント局。
【請求項３６】
放送チャネルが、単方向である請求項３４記載のクライアント局。
【請求項３７】
双方向無線リンクが、ＣＤＭＡリンク、802.11リンク、ＧＳＭリンク、衛星リンク、およびブルートゥースリンクの中の少なくとも１つである請求項３４記載のクライアント局。
【請求項３８】
双方向無線リンクが、ポイント ツウ ポイント無線通信リンクである請求項３４記載のクライアント局。
【請求項３９】
制御データが、マルチメディアストリームを解読するのに役立つ少なくとも１つのキーを含む請求項３４記載のクライアント局。
【請求項４０】
制御データが、マルチメディア放送サービスへの加入と関係付けられたデータ、またはマルチメディア放送ネットワーク上の登録と関係付けられたデータ、あるいはこの両者を含む請求項３４記載のクライアント局。
【請求項４１】
制御データが、マルチメディアデータを再生するのに役立つ少なくとも１つのアプリケーションを含む請求項３４記載のクライアント局。
【請求項４２】
制御データが、ユーザの好みに関係する請求書発行情報データ、またはマルチメディアストリームを与えることに関係するサービスのレベルに関係するデータ、あるいはこの両者を含む請求項３４記載のクライアント局。
【請求項４３】
マルチメディアストリームがディジタルであり、暗号化される請求項３４記載のクライアント局。
【請求項４４】
制御データが、マルチメディアストリームを逆インターリービング、解読、逆圧縮、および復号するのに役立つデータを含む請求項３４記載のクライアント局。
【請求項４５】
制御データが、チャネルの選択および追跡のために、マルチメディアストリーム内へ索引を付けるのに役立つデータを含む請求項３４記載のクライアント局。
【請求項４６】
双方向リンク上で、サービスおよび製品の少なくとも一方を注文することができる請求項３４記載のクライアント局。
【請求項４７】
マルチメディアストリームを無線通信装置に与えるシステムであって、
無線放送チャネル上でマルチメディアストリームを放送する手段と、
双方向無線リンク上で、装置上にマルチメディアストリームを表示するのに必要な制御データを伝送する手段とを含むシステム。
【請求項４８】
マルチメディアストリームを暗号化する手段をさらに含む請求項４７記載のシステム。
【請求項４９】
双方向無線リンク上で暗号化手段から少なくともキーを受信するために、暗号化手段と通信する手段をさらに含む請求項４８記載のシステム。
【請求項５０】
双方向無線リンク上で、受信機に、マルチメディアストリームを再生することに関係するアプリケーションを与える手段をさらに含む請求項４９記載のシステム。